【事件の表示】
　特許第３１１１３５７号「寿命の長いジュース・カートン構造体とその構成方法」の請求項１ないし１２に係る特許に対する特許異議の申立てについて、次のとおり決定する。
【結　論】
　特許第３１１１３５７号の請求項１ないし１２に係る特許を維持する。
【理　由】
１．手続の経緯・本件特許発明
　本件特許第３１１１３５７号は、１９９６年１０月１１日（パリ条約による優先権主張１９９５年１０月２７日、米国）を国際出願日とする特願平９−５１６４４７号の特許出願に係り、平成１２年９月２２日にその特許権の設定登録がなされたものであって、その請求項１〜１２に係る発明（以下、請求項ｍ（ｍ＝１〜１２）に係る発明を「本件特許発明ｍ」という。）は、特許明細書及び図面の記載からみて、その特許請求の範囲請求項１〜１２に記載された次のとおりのものである。
「【請求項１】　内側表面および外側表面を有する基体（１０）；
　該基体（１０）の外側表面上に被覆された熱シール性のポリマー材料からなる外側層（１２）；
　該基体（１０）の内側表面上に配置され、積層体に機械的強度と耐熱性を与え、向上された耐久性を与えるポリアミド・ポリマー層（１４）；
　該ポリアミド・ポリマー層（１４）の内側に配置され、その容器の内容物から香料油の離脱を防止する高いバリヤーのエチレン・ビニルアルコール（ＨＢＥＶＯＨ）コポリマー層（２４）を有し；
　そのＨＢＥＶＯＨコポリマー層（２４）は、２７９ｍ２（３，０００平方フィート）当り、０.２２７ｋｇ〜２.２７ｋｇ（０.５〜５ポンド）の被覆重量比率を有し；
　前記のＨＢＥＶＯＨコポリマー層（２４）の内側表面に被覆された薄い結合層（２６）と、該薄膜結合層（２６）上に被覆された熱−シール性のポリマー材の薄膜（２８）が、その容器の内側表面を形成し、それにより、その容器のサイド・シームの離脱を可能にし、そして、積層体の過酸化水素による積層体の滅菌を可能にし、そして、前記のＨＢＥＶＯＨコポリマー層（２４）は、エチレンコモノマー２７〜３２モル％を含有することを特徴とする容器積層構造体。
　【請求項２】　該基体（１０）は、紙板である請求項１に記載の容器積層構造体。
　【請求項３】　熱−シール性ポリマー材の該外側層（１２）と、熱−シール性ポリマー材の該薄膜層（２８）は、低密度ポリエチレン、線形の低密度のポリエチレン或いはその混合物であることを特徴とする請求項１に記載の容器積層構造体。
　【請求項４】　更に、該ポリアミドポリマー層（１４）の内側表面上に配置された結合層（１６）を有することを特徴とする請求項１に記載の容器積層構造体。
　【請求項５】　更に、該結合層（１６）の内側表面上にポリオレフィンポリマー（１８）の少なくとも１つの層を有することを特徴とする請求項４に記載の容器積層構造体。
　【請求項６】　更に、少なくとも１つのポリオレフィンポリマー層（１８）の内側表面上に配置された第２の結合層（２２）を有し、そして、前記のＨＢＥＶＯＨコポリマー層（２４）は、前記の第２の結合層（２２）の内側表面上に配置されていることを特徴とする請求項５に記載の容器積層構造体。
　【請求項７】　内側表面および外側表面を有する紙板基体（１０）；
　該基体（１０）の外側表面上に被覆された、線形の低密度のポリエチレン或いはその混合物層（１２）；
　該基体（１０）の内側表面上に配置され、積層体に機械的強度と耐熱性を与え、向上された耐久性を与えるポリアミド・ポリマー層（１４）；
　該ポリアミド・ポリマー層（１４）の内側に配置され、その容器の内容物から香料油の離脱を防止するＨＢＥＶＯＨコポリマー層（２４）を有し；
　そのＨＢＥＶＯＨコポリマー層（２４）は、２７９ｍ２（３，０００平方フィート）当り、０.２２７ｋｇ〜２.２７ｋｇ（０.５〜５ポンド）の被覆重量比率を有し；
　前記のＨＢＥＶＯＨコポリマー層（２４）の内側表面に被覆された薄い結合層（２６）と、該薄い結合層上に被覆された薄膜ポリオレフィンポリマー層（２８）が、その容器の内側表面を形成し、それにより、容器のスライビングを可能にし、そして、積層体の過酸化水素による積層体の滅菌を可能にし；
　そして、前記のＨＢＥＶＯＨコポリマー層（２４）は、エチレンコモノマー２７〜３２モル％を含有することを特徴とする容器積層構造体。
　【請求項８】　更に、前記のポリアミドポリマー層（１４）の内側表面上に析出された結合層（１６）を本質的に有することを特徴とする請求項７に記載の容器積層構造体。
　【請求項９】　更に、結合層（１６）の内側表面上にある、少なくとも１つのポリオレフィンのポリマー層（１８）、（２０）；
　そして、少なくとも１つのポリオレフィンポリマー層（１８）、（２０）の内側表面上に配置された第２の結合層（２２）を有し、
　ＨＢＥＶＯＨコポリマー層（２４）は、前記の第２の結合層（２２）の内側表面上に配置されることを特徴とする請求項７に記載の容器積層構造体。　【請求項１０】　少なくとも１つのポリオレフィンポリマー層（１８）、（２２）は、各々、第１の外側層および第２の内側層であることを特徴とする請求項９に記載の容器積層構造体。
　【請求項１１】　内側表面および外側表面を有する紙板基体（１０）；
　該基体（１０）の外側表面上に被覆された、線形の低密度のポリエチレン或いはその混合物の層（１２）；
　該基体（１０）の内側表面上に配置され、積層体に機械的強度と耐熱性を与え、向上された耐久性を与えるポリアミド・ポリマー層（１４）；
　該ポリアミド・ポリマー層（１４）の内側に配置された、２７〜３２モル％のエチレンコモノマー含有であり、その容器の内容物から香料油の離脱を防止する、ＨＢＥＶＯＨコポリマー層（２４）を有し；
　そのＨＢＥＶＯＨコポリマー層（２４）は、２７９ｍ２（３，０００平方フィート）当り、０.２２７ｋｇ〜２.２７ｋｇ（０.５〜５ポンド）の被覆重量比率を有し；
　そして、前記のポリアミドポリマー層（１４）の内側表面上に配置された結合層（１６）；
　前記の結合層の内側表面上のポリオレフィンポリマーの第１の外側層（１８）及び第２の内側層（２０）；
　前記の第２の内側層（２０）の内側表面上に配置された第２の結合層（２２）を有し；
　そして、前記のＨＢＥＶＯＨコポリマー層（２４）は、第２の結合層（２２）上に配置されており、そして、
　前記のＨＢＥＶＯＨコポリマー層（２４）の内側表面上に被覆された薄膜結合層（２６）と、該薄膜結合層（２６）上に被覆された薄膜ポリオレフィンポリマー層（２８）が、その容器の内側表面を形成し、それにより、容器のサイドシームのスライビングを可能にし、そして、積層体の過酸化水素による積層体の滅菌を可能にすることを特徴とする容器積層構造体。
　【請求項１２】　前記ポリアミドポリマー（１４）は、ナイロン６、ナイロン６６、ナイロン６−１２、ナイロン１０、ナイロン１２およびアモルファスナイロンからなる群から選択される請求項１に記載の容器積層構造体。」
　
２．特許異議申立ての理由の概要
　これに対し、特許異議申立人　ストラ　エンソ　オサケ　ユヒチエ　ユルキネン（以下、「申立人」という。）は、甲第１号証（米国特許第４,８８８，２２２号明細書）、甲第２号証（米国特許第５,０８４,３５２号明細書）、甲第３号証（ヨーロッパ特許出願公開第６３０７４５号公報）、甲第４号証（１９８５　ＴＡＰＰＩ　Ｈｉｇｈ　Ｂａｒｒｉｅｒ　Ｐａｃｋａｇｉｎｇ　Ｓｅｍｉｎａｒ）（以下、甲第ｎ号証（ｎ＝１〜４）を「甲ｎ」、該甲号証記載の発明を「甲ｎ発明」という。）を提出し、
　本件特許発明１〜１２は、甲１、２発明に基づいて当業者が容易に発明をすることができたものであり、また、甲１、３発明に基づいて当業者が容易に発明をすることができたものであり、さらに、甲１、４発明に基づいて当業者が容易に発明をすることができたものであるから、請求項１〜１２に係る特許は、特許法第２９条第２項の規定に違反してされたものである、
と主張する。
　
３．申立人の主張の適否の判断
３−１．甲各号証の記載内容
ａ．甲１
　ア．「本発明は、酸素を透過しない、そして漏れのない容器をつくる熱−シール可能なバリヤー積層体、……さらに具体的にいえば、……特にパッケージ形成時に積層体を折り、そして熱−シールする際に生じる酸素バリヤー層のピンホール、切断、裂開を効果的に防止する特定の高強度ポリマー樹脂層からなるバリヤー積層構造体に関する。」（当合議体の訳文；明細書第１欄６〜１４行）、
　イ．「熱−シール工程、切れ目付け工程……において、特定のコーキングポリマー樹脂、すなわち、アイオノマー型樹脂、エチレン−アクリル酸共重合体……等は、熱−シール工程（温度範囲２５０°Ｆ〜５００°Ｆ）で流動するメルトインデックスを有している。これらの選択された樹脂はコーキング材として働き、切り妻……形成時に生じるチャンネルを充填する。その結果、各隙間にはコーキング材が詰められ、そこを通って酸素が進入することが防止される。」（同訳文；明細書第２欄６１行〜第３欄７行）、
　ウ．「新規の積層構造体及び該構造体のために選択された材料、すなわち（ｎａｍｅｌｙ）＊、本発明により実施され、高い酸素バリヤー材料と結合される特定のコーキングポリマー樹脂及び酷使に耐える（ａｂｕｓｅ　ｒｅｓｉｓｔａｎｔ）ポリマー樹脂は、種々の組み合わせにおいて種々の食品……のパッケージに適用され得る。」（申立人が提出した訳文；明細書第３欄２１〜２７行＊（）書きは当合議体が追記）、
　エ．「第３図は、第２図に示された好ましい実施態様の修正例であり、……該構造体は、次のように記載される。すなわち、……紙板などの機械的に安定な構造の基板５０の外側上に……低密度ポリエチレンポリマー層４８が被覆されている。該……基板５０の外側上には、ポリアミド型ポリマー（ナイロン６）などの酷使に耐える……ポリマー層５２と、アイオノマー樹脂……などの……コーキングポリマー樹脂層５４からなるサンドイッチ層５３が共押出しされる。……接着結合層５６、酸素の透過に対する絶対的なバリヤーとして作用する……アルミニウム箔などの酸素バリヤー層５８、……第２の接着結合層６０が、前記共押出しされたサンドイッチ層５３の上に共押出しされる。最後に、……アイオノマー樹脂などのコーキングポリマー樹脂の層６２が、該第２の共押出しサンドイッチ層５７上に被覆され、その上に低密度ポリエチレンからなる……内側の食品接着層６４が配置される。層６４の層４８と組み合わせた追加は、外層と内層間の良好な熱シールを可能にする。」（申立人が提出した訳文を一部修文した訳文；明細書第５欄５３行〜第６欄１１行）、
　オ．「バリヤー層は、アルミニウム箔、エチレンビニルアルコール共重合体……等からなることができる。」（申立人が提出した訳文；７欄４９〜５７行）、
　カ．前記アでいうバリヤー積層構造体の断面図に相当する第３図。
　
ｂ.甲２
　キ．「少なくとも、低湿分透過性の第１ポリマーフィルムと、ガスバリヤーポリマー約１〜９９部及び該第１ポリマーと同一、または相溶性の、該ガスバリヤーポリマー中に分布して不均一ポリマーブレンドフィルムを該第１ポリマーフィルムに接着させる第２ポリマー約９９〜１部を含む不均一ポリマーブレンドフィルムを含む多層バリヤーフィルム製品。」（当合議体の訳文；明細書第１１欄４９〜５９行、特許請求の範囲第１項）、
　ク．「本発明は、改良された酸素及び湿分に対する不透過性ならびにタフネス及び加工性を示す多層フィルムに関する。……そのようなフィルムは、特に食品工業における包装用途に有用である。」（同訳文；１欄６〜２１行）、
　ケ．「ガス……バリヤー保護を与える多層構造物に関して、不均一内層は典型的には高バリヤーポリマーマトリックス、例えばポリ（エチレンビニルアルコール）（ＥＶＯＨ）……を極性ポリマーとして、そしてポリオレフィンなどを防湿性非極性ポリマーとして用いる。したがって、好ましい３層構造物はＡ（Ｂ／Ａ）Ａ（ただし、Ａはポリオレフィン、Ｂはバリヤーガス……耐性成分）として示される。」（同訳文；明細書第３欄５４〜６３行）、
　コ．「Ｂがガス／化学的バリヤーポリマーである場合、エチレンビニルアルコールコポリマー（ＥＶＯＨ）が、２９〜４４モル％の範囲で含有量が変化するエチレンと共に用いられ得る。」（申立人が提出した訳文；明細書第４欄３７〜３９行）。
　
ｃ．甲３
　サ．「特に容器製造用の多層製品であって、一方の表面上に気密多層プラスチックコーティング（３）を配置した繊維基材包装材料から形成された層（１）を含み、該……コーティング（３）は、１〜４ｇ／ｍ２のバリヤープラスチック層（４ａ……）、……結合層（５）及び……熱シール性のポリオレフィン材料からなる表面層（６）が重ねられてなり、該バリヤープラスチック層が　……層（１）に対して最も近くにあることを特徴とする上記多層製品。」（当合議体の訳文；請求項１）、
　シ．「バリヤープラスチック層（４ａ）が、３２％エチレンビニルアルコール共重合体材料からなる請求項１……記載の多層製品。」（当合議体の訳文；請求項４）、
　ス．「第１図の実施態様において、バリヤープラスチック層４ａは３２％
エチレンアルコール共重合体
　セ．上記多層製品の第一の好ましい実施態様を示す第１図（図中、層４ａは「ＥＶＯＨ　３２％」と表記されている。）。
　
ｄ．甲４
　ソ．ＥＶＯＨ共重合体中のエチレンモル分率が小さいほどガスバリヤー性は大きいこと（当合議体の訳文；第１図）、
　タ．湿度及び／または温度の増加に合わせてＥＶＯＨのバリヤー性は減少するが、相対湿度９０％、温度３５℃においても、エチレン含量３２％のＥＶＡＬ（登録商標）　ＥＰ−Ｆの酸素透過率は、エチレン含量４４％のＥＶＡＬ（同）　ＥＰ−Ｅより小さいこと（同訳文；第５表）、
　チ．紙層を含む積層構造体の一部としてＥＶＡＬ（同）　ＥＰ−Ｆを使用する実例（同訳文；第３図）。
　
３−２．対比・判断
３−２−１．本件特許発明１について
　本件特許発明１（前者）と甲１発明（後者）とを対比すると、
　後者の第３図の「容器積層構造体」についての説明（前記エ参照）中では「アルミニウム箔など」と記された「酸素バリヤー層５８」（前記カ参照）は、摘示記載オ．によれば「エチレンビニルアルコール共重合体」（＝ＥＶＯＨ）であってよいから、また、後者の「低密度ポリエチレン層６４」は、摘示記載エ．によれば、良好な熱シールを可能にするための層であることから、後者の「基板５０」、「低密度ポリエチレンポリマー層４８」、「ポリアミド型ポリマー層５２」、「酸素バリヤー層である「ＥＶＯＨ層５８」」、「接着結合層６０」、「低密度ポリエチレン層６４」は、それぞれ、前者の「容器積層構造体」中の「基体（１０）」、「外側層（１２）」、「ポリアミド・ポリマー層（１４）」、「ポリアミド・ポリマー（１４）の内側に配置された、バリヤー性のエチレン・ビニルアルコール（ＥＶＯＨ）コポリマー層」、「薄い結合層」、「熱−シール性ポリマー材の薄膜」に相当するものと認められ、後者の「ポリアミド型ポリマー層５２」は、ナイロン６を用いており、本件特許明細書には「積層体に機械的強度と耐熱性を与え、向上された耐久性を与えるポリアミド・ポリマー層（１４）」と記載され、具体的には「ナイロン６、ナイロン６６、・・・アモルファス　ナイロンからなる群から選択され得る。」と記載されており、後者の「ポリアミド型ポリマー層５２」も当然に「積層体に機械的強度と耐熱性を与え、向上された耐久性を与える」ものと認められるので、
　両者は、
「内側表面および外側表面を有する基体（１０）；
　該基体（１０）の外側表面上に被覆された熱シール性のポリマー材料からなる外側層（１２）；
　該基体（１０）の内側表面上に配置され、積層体に機械的強度と耐熱性を与え、向上された耐久性を与えるポリアミド・ポリマー層（１４）；
　該ポリアミド・ポリマー層（１４）の内側に配置されたエチレン・ビニルアルコール（ＥＶＯＨ）コポリマー層、
　該ＥＶＯＨコポリマー層の内側に配置された薄い結合層、
　容器最内側に配置された熱−シール性のポリマー材の薄膜、
からなる容器積層構造体。」の点で一致し、
　本件特許発明１では、
（ａ）「該ポリアミド・ポリマー層（１４）の内側に配置され、その容器の内容物から香料油の離脱を防止する高いバリヤーのエチレン・ビニルアルコール（ＨＢＥＶＯＨ）コポリマー層（２４）を有し；
　そのＨＢＥＶＯＨコポリマー層（２４）は、２７９ｍ２（３，０００平方フィート）当り、０.２２７ｋｇ〜２.２７ｋｇ（０.５〜５ポンド）の被覆重量比率を有し」、
（ｂ）「前記のＨＢＥＶＯＨコポリマー層（２４）の内側表面に被覆された薄い結合層（２６）と、該薄膜結合層（２６）上に被覆された熱−シール性のポリマー材の薄膜（２８）が、その容器の内側表面を形成し」、及び
（ｃ）「前記のＨＢＥＶＯＨコポリマー層（２４）は、エチレンコモノマー２７〜３２モル％を含有する」
のに対し、甲１には、請求項１に記載の上記発明特定事項（ａ）〜（ｃ）について記載されていない点で相違している。
　そこで、上記相違点ついて検討する。
　申立人は「ウ．本件特許発明と証拠に記載された発明との対比」項（特許異議申立書１１〜１７頁）中で、上記発明特定事項については甲１〜４に記載されており、当業者が容易に想到し得ることができると主張する。
　ここで、申立人提出の甲２〜４をみると、
　先ず、甲２には、摘示記載コ．によれば、高ガスバリヤー性ＥＶＯＨのエチレン含量の最低値は２９モル％であることが、
　また、甲３には、摘示記載サ．〜セ．によれば、容器製造用多層製品中のバリヤープラスチック層として、エチレン含量３２モル％のＥＶＯＨが層厚み１〜４ｇ／ｍ２の範囲で使用されることが記載されており、本件特許発明１でいう被覆重量比率に換算すると、０.２７９〜１.１１６ｋｇ／２７９ｍ２の範囲で使用されることが、
　さらに、甲４には、摘示記載ソ．〜チ．によれば、エチレンモル分率が小さいほどガスバリヤー性は大きく、紙層を含む積層構造体に使用されるＥＶＯＨにはエチレン含量３２％のものがあることが、
それぞれ、甲２〜甲４発明が開示されているものと認められる。
　そうすると、上記甲２〜甲４発明の開示を総合し、甲１発明における前記「ポリアミド型ポリマー層（５２）の内側に配置されたエチレン・ビニルアルコール（ＥＶＯＨ）コポリマー」（＝第３図の酸素バリヤー層５８）を「エチレンコモノマー含量２９〜３２モル％のＨＢＥＶＯＨコポリマー層（２４）」とし、その被覆重量率を本件特許発明１で規定する範囲内の「０.２７９〜１.１１６ｋｇ／２７９ｍ２」とすること、すなわち、本件特許発明１の上記発明特定事項（ａ）及び（ｃ）を充足する構成を採用することは、当業者が容易に想到し得たものと認められる。
　しかしながら、摘示記載ウ．の記載によれば、
甲１発明ではコーキングポリマー樹脂層の存在が必須
　また、本件特許発明１の前記発明特定事項（ｂ）で規定する「前記ＨＢＥＶＯＨコポリマー層（２４）の内側表面に被覆された薄い結合層（２６）と、該薄膜結合層（２６）上に被覆された熱−シール性のポリマー材の薄膜（２８）が、その容器の内側表面を形成」する積層構造（以下、積層構造（II）という）は、コーキングポリマー樹脂層が関与しない点で明らかに甲１発明の積層構造（I）とは相違する上、前記摘示記載キ．〜チ．から明らかなように、甲２〜甲４発明のいずれも、該積層構造（II）を教示するものではない。
　そうすると、甲１と甲２、甲１と甲３、甲１と甲４のいずれの発明を組み合わせたとしても、本件特許発明１の前記発明特定事項（ｂ）を導き出すことはできない。
　そして、本件特許発明１は、上記発明特定事項（ｂ）を具備することにより、請求項１記載の他の構成とあいまって、本件特許明細書記載の顕著な効果、特に、「高いバリヤーのエチレン・ビニルアルコール・コポリマー層（２４）を結合層（２６）およびポリオレフィン・ポリマー層（２８）に結合させて、使用すると、香料油の損失を最小にする。積層構造体を試すと、……香料損失が、少なくとも９０日間にわたり、１０％以下であった」旨の、本件特許明細書記載の効果を奏するものと認められる。
　したがって、本件特許発明１は、甲１と２、甲１と３、甲１と４のいずれの発明の組み合わせに基づいても当業者が容易に想到し得たとすることはできない。
　
３−２−２．本件特許発明２〜６及び１２について
　本件特許発明２〜６及び１２は、請求項１を直接、あるいは間接的に引用し、本件特許発明１をさらに技術的に限定する関係にあるところ、前記のとおり、前提となる本件特許発明１が甲１と２、甲１と３、甲１と４のいずれの発明の組み合わせに基づいても当業者が容易に想到し得たとすることができない以上、本件特許発明２〜６及び１２は、上記３−２−１．に記載した理由により、甲１と２、甲１と３、甲１と４のいずれの発明の組み合わせに基づいても当業者が容易に想到し得たとすることができない。
　
３−２−３．本件特許発明７について
　独立形式で記載された本件特許発明７は、本件特許発明１と対比すると、イ．「熱シール性のポリマー材料からなる外側層（１２）」を、「線形の低密度のポリエチレン或いはその混合物層（１２）」、ロ．「容器の内容物から香料油の離脱を防止する高いバリヤーのエチレン・ビニルアルコール（ＨＢＥＶＯＨ）コポリマー層（２４）」を、「容器の内容物から香料油の離脱を防止するＨＢＥＶＯＨコポリマー層（２４）」、ハ．「熱−シール性のポリマー材の薄膜（２８）」を、「薄膜ポリオレフィンポリマー層（２８）」、ニ．「熱−シール性のポリマー材の薄膜（２８）が、その容器の内側表面を形成し、それにより、その容器のサイド・シームの離脱を可能にし、」、「薄膜ポリオレフィンポリマー層（２８）が、その容器の内側表面を形成し、それにより、容器のスライビングを可能にし、」と規定したものである。
　とすると、本件特許発明７は甲１発明と対比すると、本件特許発明７は、少なくとも上記３−２−１．で記載した本件特許発明１と甲１発明との対比において摘示した事項を上記イ．〜ニ．の如く限定した発明特定事項の点で相違が認められ、特に、本件特許発明１についての発明特定事項（ｂ）に対応する、請求項７に記載の「前記のＨＢＥＶＯＨコポリマー層（２４）の内側表面に被覆された薄い結合層（２６）と、該薄い結合層上に被覆された薄膜ポリオレフィンポリマー層（２８）が、その容器の内側表面を形成」する点について、甲１〜４のいずれにも、記載も示唆もされていない。
　そして、本件特許発明７は、該発明特定事項を具備することにより、請求項７記載の他の発明特定事項とあいまって、本件特許明細書記載の顕著な効果を奏するものと認められる。
　したがって、本件特許発明７は、上記３−２−１．において記載したのと同じ理由により、その余の点について検討するまでもなく、甲１と２、甲１と３、甲１と４のいずれの発明の組み合わせに基づいて当業者が容易に想到し得たとすることはできない。
　
３−２−４．本件特許発明８〜１０について
　本件特許発明８〜１０は、請求項７を直接、あるいは間接的に引用し、本件特許発明７をさらに技術的に限定する関係にあるところ、前記のとおり、前提となる本件特許発明７が甲１と２、甲１と３、甲１と４のいずれの発明の組み合わせに基づいても当業者が容易に想到し得たとすることができない以上、本件特許発明８〜１０は、上記３−２−１．に記載した理由により、甲１と２、甲１と３、甲１と４のいずれの発明の組み合わせに基づいても当業者が容易に想到し得たとすることができない。
　
３−２−５．本件特許発明１１について
　本件特許発明１１は、本件特許発明７と対比すると、イ．「そして、前記のポリアミドポリマー層（１４）の内側表面上に配置された結合層（１６）；
　前記の結合層の内側表面上のポリオレフィンポリマーの第１の外側層（１８）及び第２の内側層（２０）；
　前記の第２の内側層（２０）の内側表面上に配置された第２の結合層（２２）を有し；
　そして、前記のＨＢＥＶＯＨコポリマー層（２４）は、第２の結合層（２２）上に配置されており、」と積層関係を特定するとともに、ロ．「薄膜ポリオレフィンポリマー層（２８）が、その容器の内側表面を形成し、それにより、容器のスライビングを可能にし、」を、「薄膜ポリオレフィンポリマー層（２８）が、その容器の内側表面を形成し、それにより、容器のサイドシームのスライビングを可能にし、」と規定したものである。
　本件特許発明７についてと同様、甲１〜４のいずれにも、請求項１１に記載の「前記のＨＢＥＶＯＨコポリマー層（２４）の内側表面上に被覆された薄膜結合層（２６）と、該薄膜結合層（２６）上に被覆された薄膜ポリオレフィンポリマー層（２８）が、その容器の内側表面を形成」する発明特定事項について、記載も示唆もされていない。
　そして、本件特許発明１１は、該発明特定事項を具備することにより、請求項１１記載の他の発明特定事項とあいまって、本件特許明細書記載の顕著な効果を奏するものと認められる。
　そうすると、本件特許発明１１もまた、上記３−２−３．において記載したのと同じ理由により、その余の点について検討するまでもなく、甲１と２、甲１と３、甲１と４のいずれの発明の組み合わせに基づいて当業者が容易に想到し得たとすることはできない。
　
４．むすび
　したがって、特許異議申立ての理由及び証拠によっては、請求項１〜１２に係る特許を取り消すことはできない。
　また、他に請求項１〜１２に係る特許を取り消すべき理由を発見しない。
　よって、結論のとおり決定する。
【異議決定日】
平成１５年１月２０日（２００３．１．２０）